【手続補正書】
【提出日】平成22年12月17日(2010.12.17)
【手続補正１】
【補正対象書類名】特許請求の範囲
【補正対象項目名】全文
【補正方法】変更
【補正の内容】
【特許請求の範囲】
【請求項１】
発光手段を発光させた撮影が可能な撮像装置であって、
撮像して画像データを取得する撮像手段と、
前記発光手段を発光させていないときに前記撮像手段により撮像して取得された画像データに基づいて、該画像データにおいて、予め設定された条件を満たす被写体が存在する第１の領域を決定する決定手段と、
前記発光手段を発光させていないときに前記撮像手段により撮像して取得された前記画像データの前記第１の領域における前記被写体の占有率である第１の占有率と、前記発光手段を発光させたときに前記撮像手段により撮像して取得された画像データの前記第１の領域における前記被写体の占有率である第２の占有率と、を比較した結果に基づいて前記発光手段の照射光量を演算する演算手段と、
を有することを特徴とする撮像装置。
【請求項２】
前記決定手段は、前記発光手段を発光させたときに前記撮像手段により撮像して取得された前記画像データに基づいて、前記予め設定された条件を満たす被写体が存在する第２の領域を決定し、
前記演算手段は、前記第１の占有率と前記第２の占有率との一致度が第１の閾値よりも小さい場合、前記第２の領域の輝度に基づいて前記発光手段の照射光量を演算することを特徴とする請求項１に記載の撮像装置。
【請求項３】
前記演算手段は、前記第１の占有率と前記第２の占有率との一致度が前記第１の閾値以上であって該第１の閾値より大きい第２の閾値よりも小さい場合、前記第１の領域の輝度と前記第２の領域の輝度とに基づいて、前記第１の領域と前記第２の領域とに基づいて本撮影を行う時に前記予め設定された条件を満たす被写体が存在すると推定される第３の領域の輝度が、前記予め設定された輝度の範囲となる、前記発光手段の照射光量を演算することを特徴とする請求項２に記載の撮像装置。
【請求項４】
前記演算手段は、前記第１の占有率と前記第２の占有率との一致度が前記第２の閾値以上の場合、前記第１の領域の輝度に基づいて前記発光手段の照射光量を演算することを特徴とする請求項３に記載の撮像装置。
【請求項５】
発光手段を発光させた撮影が可能な撮像装置であって、
撮像して画像データを取得する撮像手段と、
本撮影処理を実行させるための操作を受け付ける操作手段と、
前記操作手段により前記操作を受け付ける前の前記発光手段を発光させていないときに前記撮像手段により撮像して取得された画像データに基づいて、該画像データにおいて、予め設定された条件を満たす被写体が存在する第１の領域を決定する決定手段と、
前記操作手段により前記操作を受け付ける前の前記発光手段を発光させていないときに前記撮像手段により撮像して取得された前記画像データの前記第１の領域における前記被写体の占有率である第１の占有率と、前記操作手段により前記操作を受け付けた後の前記発光手段を発光させていないときに前記撮像手段により撮像して取得された画像データの前記第１の領域における前記被写体の占有率である第２の占有率と、を比較した結果に基づいて、前記発光手段の照射光量を演算する演算手段と、
を有することを特徴とする撮像装置。
【請求項６】
前記決定手段は、前記操作手段により前記操作を受け付けた後の前記発光手段を発光させていないときに前記撮像手段により撮像して取得された前記画像データに基づいて、前記予め設定された条件を満たす被写体が存在する第２の領域を決定し、
前記演算手段は、前記第１の占有率と前記第２の占有率との一致度が第１の閾値よりも小さい場合、前記第２の領域の輝度に基づいて前記発光手段の照射光量を演算することを特徴とする請求項５に記載の撮像装置。
【請求項７】
前記演算手段は、前記第１の占有率と前記第２の占有率との一致度が前記第１の閾値以上であって該第１の閾値より大きい第２の閾値よりも小さい場合、前記第１の領域の輝度と前記第２の領域の輝度とに基づいて、前記第１の領域と前記第２の領域とに基づいて本撮影を行う時に前記予め設定された条件を満たす被写体が存在すると推定設定される第３の領域の輝度が、前記予め設定された輝度の範囲となる、前記発光手段の照射光量を演算することを特徴とする請求項６に記載の撮像装置。
【請求項８】
前記演算手段は、前記第１の占有率と前記第２の占有率との一致度が前記第２の閾値以上の場合、前記第１の領域の輝度に基づいて前記発光手段の照射光量を演算することを特徴とする請求項７に記載の撮像装置。
【請求項９】
前記決定手段は、前記発光手段を発光させたときに前記撮像手段により撮像して取得された画像データに基づいて、前記予め設定された条件を満たす被写体が存在する第４の領域を決定し、
前記演算手段は、前記決定手段により前記第４の領域が決定された場合、当該第４の領域の輝度に基づいて前記発光手段の照射光量を演算し、前記決定手段により前記第４の領域が決定できない場合、前記第１の占有率と前記第２の占有率とを比較した結果に基づいて前記発光手段の照射光量を演算することを特徴とする請求項５ないし８のいずれか１項に記載の撮像装置。
【請求項１０】
前記演算手段は、前記決定手段により前記第４の領域が決定された場合、前記第１の占有率と前記第２の占有率との比較を行わないことを特徴とする請求項９に記載の撮像装置。
【請求項１１】
撮像して画像データを取得する撮像手段を有し、発光手段を発光させた撮影が可能な撮像装置の制御方法であって、
決定手段が、前記発光手段を発光させていないときに前記撮像手段により撮像して取得された画像データに基づいて、該画像データにおいて、予め設定された条件を満たす被写体が存在する第１の領域を決定する決定ステップと、
演算手段が、前記発光手段を発光させていないときに前記撮像手段により撮像して取得された前記画像データの前記第１の領域における前記被写体の占有率である第１の占有率と、前記発光手段を発光させたときに前記撮像手段により撮像して取得された画像データの前記第１の領域における前記被写体の占有率である第２の占有率と、を比較した結果に基づいて、前記発光手段の照射光量を演算する演算ステップと、
を有することを特徴とする撮像装置の制御方法。
【請求項１２】
撮像して画像データを取得する撮像手段と、本撮影処理を実行させるための操作を受け付ける操作手段と、を有し、発光手段を発光させた撮影が可能な撮像装置の制御方法であって、
決定手段が、前記操作手段により前記操作を受け付ける前の前記発光手段を発光させていないときに前記撮像手段により撮像して取得された画像データに基づいて、該画像データにおいて、予め設定された条件を満たす被写体が存在する第１の領域を決定する決定ステップと、
演算手段が、前記操作手段により前記操作を受け付ける前の前記発光手段を発光させていないときに前記撮像手段により撮像して取得された前記画像データの前記第１の領域における前記被写体の占有率である第１の占有率と、前記操作手段により前記操作を受け付けた後の前記発光手段を発光させていないときに前記撮像手段により撮像して取得された画像データの前記第１の領域における前記被写体の占有率である第２の占有率と、を比較した結果に基づいて、前記発光手段の照射光量を演算する演算ステップと、
を有することを特徴とする撮像装置の制御方法。
【手続補正２】
【補正対象書類名】明細書
【補正対象項目名】発明の名称
【補正方法】変更
【補正の内容】
【発明の名称】撮像装置および制御方法
【手続補正３】
【補正対象書類名】明細書
【補正対象項目名】０００９
【補正方法】変更
【補正の内容】
【０００９】
上記問題を解決するために、本発明にかかる撮像装置は、発光手段を発光させた撮影が可能な撮像装置であって、撮像して画像データを取得する撮像手段と、前記発光手段を発光させていないときに前記撮像手段により撮像して取得された画像データに基づいて、該画像データにおいて、予め設定された条件を満たす被写体が存在する第１の領域を決定する決定手段と、前記発光手段を発光させていないときに前記撮像手段により撮像して取得された前記画像データの前記第１の領域における前記被写体の占有率である第１の占有率と、前記発光手段を発光させたときに前記撮像手段により撮像して取得された画像データの前記第１の領域における前記被写体の占有率である第２の占有率と、を比較した結果に基づいて前記発光手段の照射光量を演算する演算手段と、を有することを特徴とする。
【手続補正４】
【補正対象書類名】明細書
【補正対象項目名】００１０
【補正方法】変更
【補正の内容】
【００１０】
また、上記問題を解決するために、本発明にかかる撮像装置は、発光手段を発光させた撮影が可能な撮像装置であって、撮像して画像データを取得する撮像手段と、本撮影処理を実行させるための操作を受け付ける操作手段と、前記操作手段により前記操作を受け付ける前の前記発光手段を発光させていないときに前記撮像手段により撮像して取得された画像データに基づいて、該画像データにおいて、予め設定された条件を満たす被写体が存在する第１の領域を決定する決定手段と、前記操作手段により前記操作を受け付ける前の前記発光手段を発光させていないときに前記撮像手段により撮像して取得された前記画像データの前記第１の領域における前記被写体の占有率である第１の占有率と、前記操作手段により前記操作を受け付けた後の前記発光手段を発光させていないときに前記撮像手段により撮像して取得された画像データの前記第１の領域における前記被写体の占有率である第２の占有率と、を比較した結果に基づいて、前記発光手段の照射光量を演算する演算手段と、を有することを特徴とする。
【手続補正５】
【補正対象書類名】明細書
【補正対象項目名】００１１
【補正方法】変更
【補正の内容】
【００１１】
また、上記問題を解決するために、本発明にかかる撮像装置の制御方法は、撮像して画像データを取得する撮像手段を有し、発光手段を発光させた撮影が可能な撮像装置の制御方法であって、決定手段が、前記発光手段を発光させていないときに前記撮像手段により撮像して取得された画像データに基づいて、該画像データにおいて、予め設定された条件を満たす被写体が存在する第１の領域を決定する決定ステップと、演算手段が、前記発光手段を発光させていないときに前記撮像手段により撮像して取得された前記画像データの前記第１の領域における前記被写体の占有率である第１の占有率と、前記発光手段を発光させたときに前記撮像手段により撮像して取得された画像データの前記第１の領域における前記被写体の占有率である第２の占有率と、を比較した結果に基づいて、前記発光手段の照射光量を演算する演算ステップと、を有することを特徴とする。
【手続補正６】
【補正対象書類名】明細書
【補正対象項目名】００１２
【補正方法】変更
【補正の内容】
【００１２】
また、上記問題を解決するために、本発明にかかる撮像装置の制御方法は、撮像して画像データを取得する撮像手段と、本撮影処理を実行させるための操作を受け付ける操作手段と、を有し、発光手段を発光させた撮影が可能な撮像装置の制御方法であって、決定手段が、前記操作手段により前記操作を受け付ける前の前記発光手段を発光させていないときに前記撮像手段により撮像して取得された画像データに基づいて、該画像データにおいて、予め設定された条件を満たす被写体が存在する第１の領域を決定する決定ステップと、演算手段が、前記操作手段により前記操作を受け付ける前の前記発光手段を発光させていないときに前記撮像手段により撮像して取得された前記画像データの前記第１の領域における前記被写体の占有率である第１の占有率と、前記操作手段により前記操作を受け付けた後の前記発光手段を発光させていないときに前記撮像手段により撮像して取得された画像データの前記第１の領域における前記被写体の占有率である第２の占有率と、を比較した結果に基づいて、前記発光手段の照射光量を演算する演算ステップと、を有することを特徴とする。
【手続補正７】
【補正対象書類名】明細書
【補正対象項目名】００３３
【補正方法】変更
【補正の内容】
【００３３】
一方、ＳＷ１がＯＮであればステップＳ１５に進み、本撮影の準備を行う。撮影準備中、先ずステップＳ１５において、直前のステップＳ１３で求めた露出値を用いてステップＳ１１と同様の撮像を行い、次のステップＳ１６において得られた画像をステップＳ１２と同様にスルー表示する。また、ステップＳ１７において、顔検出部１０６により撮像した画像から顔検出を行い、検出した顔領域の大きさ及び位置（顔情報ａ）を不図示のメモリに記憶しておく。また、ステップＳ１７で得られた顔情報ａに応じて、ステップＳ１８において測光及び焦点調節処理を行う。また、ステップＳ１８における測光処理の結果、必要であればフラッシュ・フラグをセットし、フラッシュの設定も行う。なお、フラッシュを発光するか否かの判断は、測光の結果に基づいて行わなくても良く、例えば、操作部１０１を用いて予め設定するようにしても良い。また周囲の暗さを検知して自動的に判断するようにしても良い。
【手続補正８】
【補正対象書類名】明細書
【補正対象項目名】００４０
【補正方法】変更
【補正の内容】
【００４０】
一方、フラッシュ撮影を行う場合には、ステップＳ１７で不図示のメモリに記憶しておいた顔情報ａ（顔領域ａの大きさ及び位置）を読み出す（ステップＳ１０２）。次に、フラッシュ部１１１によるプリ発光を行って撮像し（ステップＳ１０３）、得られた画像から被写体の切り出しを行うと共に、顔領域ｂ（被写体部分）の大きさ及び位置（顔情報ｂ）を取得する（ステップＳ１０４）。なお、ここでは、上述したように画像処理部１０５においてプリ発光時の画像と非発光時の画像との差分をとることによりプリ発光による反射光データを算出することで被写体切り出しを行う。また、被写体切り出しの結果に基づき、顔領域の大きさや、その位置等（顔情報b）を求める。なお、顔情報に基づいて表示用の検出枠の設定が行われる。
【手続補正９】
【補正対象書類名】明細書
【補正対象項目名】００４１
【補正方法】変更
【補正の内容】
【００４１】
次に、顔情報ａと顔情報ｂとの比較（顔情報ａを取得した検出枠内において、顔領域ｂが、その検出枠内にどの程度の割合で存在しているか）を行う。そして、検出枠内におけるそれぞれの被写体の占有率を求める（ステップＳ１０５）。
【手続補正１０】
【補正対象書類名】明細書
【補正対象項目名】００４９
【補正方法】変更
【補正の内容】
【００４９】
ステップＳ４３で、フラッシュ・フラグがセットされているかをチェックしてフラッシュが必要か否かを判断する。フラッシュの発光を行う場合には、制御部１０２はＥＦ処理部１１０を制御し、ステップＳ２０で演算された照射光量でフラッシュ部１１１を発光させる（ステップＳ４４）。
【手続補正１１】
【補正対象書類名】明細書
【補正対象項目名】００５４
【補正方法】変更
【補正の内容】
【００５４】
先ず、ＳＷ１ＯＮに伴って、画像ＩＭ１を１枚撮像し（図２のステップＳ１５）、撮像した画像ＩＭ１から顔を検出する（ステップＳ１７）。ここで検出した顔が暗く、フラッシュによる明るさの調節が必要であると判断され、引き続いてＳＷ２ＯＮとなると、本撮影に先だってプリ発光を行って画像ＩＭ２を撮像する（ステップＳ１０３）。そして、プリ発光による反射光データに基づいて撮像した画像ＩＭ２から被写体の切り出しを行い、被写体の切り出しによって算出された被写体情報から顔情報ｂを取得する（ステップＳ１０４）。図７（ａ）に示す例では、画像ＩＭ１から検出した顔領域の検出枠における占有率と、画像ＩＭ１での検出枠の位置における画像ＩＭ２から検出した顔領域の占有率は異なる（ステップＳ１０６でＮＯ）。また、顔情報ａと顔情報ｂの比較から明らかに占有率の一致度が低いので（ステップＳ１０９でＮＯ）、フラッシュ被写体切り出しにより得られた被写体に基づいて照射光量を演算する（ステップＳ１１２）。そして、本撮影ではここで演算した照射光量を用いてフラッシュ部１１１を発光させるため（図４のステップＳ４４）、被写体が適切な輝度となった画像ＩＭ３を得ることができる。
【手続補正１２】
【補正対象書類名】明細書
【補正対象項目名】００５６
【補正方法】変更
【補正の内容】
【００５６】
先ず、ＳＷ１ＯＮに伴って、画像ＩＭ４を１枚撮像し（図２のステップＳ１５）、撮像した画像ＩＭ４から顔を検出する（ステップＳ１７）。ここで検出した顔が暗く、フラッシュによる明るさの調節が必要であると判断され、引き続いてＳＷ２ＯＮとなると、本撮影に先だってプリ発光を行って画像ＩＭ５を撮像する（ステップＳ１０３）。そして、プリ発光による反射光データに基づいて撮像した画像ＩＭ５から被写体の切り出しを行い、被写体の切り出しによって算出された被写体情報から顔情報ｂを取得する（ステップＳ１０４）。図７（ｂ）に示す例では、画像ＩＭ４から検出した顔領域の、検出枠における占有率と、画像ＩＭ４での検出枠の位置における画像ＩＭ５から検出した顔領域の占有率は異なる（ステップＳ１０６でＮＯ）。ただし、この場合にはほぼ同じ位置を検出しているために一致度が高いので（ステップＳ１０９でＹＥＳ）、画像ＩＭ４から得られた顔情報ａ及び画像ＩＭ５から得られた顔情報ｂに基づいて、本撮影時の顔領域を推測する（ステップＳ１１０）。そして、推測した顔領域に基づいて照射光量を演算する（ステップＳ１１１）。本撮影ではここで演算した照射光量を用いてフラッシュ部１１１を発光させるため（図４のステップＳ４４）、顔領域が適切な輝度となった画像ＩＭ６を得ることができる。
【手続補正１３】
【補正対象書類名】明細書
【補正対象項目名】００５８
【補正方法】変更
【補正の内容】
【００５８】
また、画像ＩＭ１及びＩＭ４はＳＷ１ＯＮに伴い撮影されているが、ＳＷ２がＯＮされる前のタイミングであればいつ画像を取得しても良い。
【手続補正１４】
【補正対象書類名】明細書
【補正対象項目名】００６４
【補正方法】変更
【補正の内容】
【００６４】
一方、フラッシュ撮影を行う場合には、ステップＳ１７で不図示のメモリに記憶しておいた顔情報ａ（顔領域の大きさ及び位置）を読み出す（ステップＳ２０２）。次に、フラッシュ部１１１によるプリ発光を行わずに撮像し（ステップＳ２０３）、得られた画像を用いて顔検出部１０６により顔検出を行い、顔領域の大きさ及び位置（顔情報ｂ）を取得する（ステップＳ２０４）。
【手続補正１５】
【補正対象書類名】明細書
【補正対象項目名】００６５
【補正方法】変更
【補正の内容】
【００６５】
次に、フラッシュ部１１１によるプリ発光を行って撮像し（ステップＳ２０５）、得られた画像から被写体の切り出しを行うとともに、得られた画像を用いて顔検出部１０６により顔検出を行う。そして、顔領域の大きさ及び位置（顔情報ｃ）を取得する（ステップＳ２０６）。
【手続補正１６】
【補正対象書類名】明細書
【補正対象項目名】００６８
【補正方法】変更
【補正の内容】
【００６８】
一方、ステップＳ２０６で顔検出ができなかったと判断した場合には（ステップＳ２０７でＮＯ）、ステップＳ２０９に進む。そして、顔情報ａと顔情報ｂとの比較（顔情報ａを取得した検出枠内において、顔領域ｂが、その検出枠内にどの程度の割合で存在しているか）を行う。そして、領域内における被写体の占有率をそれぞれ求める。
【手続補正１７】
【補正対象書類名】明細書
【補正対象項目名】００７５
【補正方法】変更
【補正の内容】
【００７５】
先ず、ＳＷ１ＯＮに伴って、画像ＩＭ２１を１枚撮像し（図２のステップＳ１５）、撮像した画像ＩＭ２１から顔を検出する（ステップＳ１７）。ここで検出した顔が暗く、フラッシュによる明るさの調節が必要であると判断され、引き続いてＳＷ２ＯＮとなると、本撮影に先だって、プリ発光を行わずに画像ＩＭ２２を撮像し（ステップＳ２０３）、撮像した画像ＩＭ２２から顔を検出する（ステップＳ２０４）。更に、プリ発光を行って画像ＩＭ２３を撮像し（ステップＳ２０５）、撮像した画像ＩＭ２３から被写体の切り出しを行うとともに、得られた画像を用いて顔検出部１０６により顔検出を行い顔を検出する（ステップＳ２０６）。ここで、顔が白とび等の原因により検出できなかった場合（ステップＳ２０７でＮＯ）、画像ＩＭ２１から検出した顔領域の検出枠における占有率と、画像ＩＭ２１での検出枠の位置における画像ＩＭ２２から検出した顔領域の占有率とを比較する。
【手続補正１８】
【補正対象書類名】明細書
【補正対象項目名】００７６
【補正方法】変更
【補正の内容】
【００７６】
図８（ａ）に示す例では、画像ＩＭ２１から検出した顔領域の検出枠における占有率と、画像ＩＭ２１での検出枠の位置における画像ＩＭ２２から検出した顔領域の占有率が変わらない（ステップＳ２１０でＮＯ）。したがって、画像ＩＭ２１から検出した顔領域に基づいて照射光量を演算する（ステップＳ２１１）。そして、本撮影ではここで演算した照射光量を用いてフラッシュ部１１１を発光させるため（図４のステップＳ４４）、顔領域が適切な輝度となった画像ＩＭ２４を得ることができる。
【手続補正１９】
【補正対象書類名】明細書
【補正対象項目名】００７９
【補正方法】変更
【補正の内容】
【００７９】
図８（ｂ）に示す例では、画像ＩＭ２５から検出した顔領域の検出枠における占有率と、画像ＩＭ２５での検出枠の位置における画像ＩＭ２６から検出した顔領域の占有率は異なる（ステップＳ２１０でＮＯ）。ただし、この場合にはほぼ同じ位置を検出しているために占有率の一致度は高いので（ステップＳ２１２でＹＥＳ）、画像ＩＭ２５から得られた顔情報ａ及び画像ＩＭ２６から得られた顔情報ｂに基づいて、本撮影時の顔領域を推測する（ステップＳ２１４）。
【手続補正２０】
【補正対象書類名】明細書
【補正対象項目名】００８２
【補正方法】変更
【補正の内容】
【００８２】
また、画像ＩＭ２１及びＩＭ２５はＳＷ１ＯＮに伴い撮影されているが、ＳＷ２がＯＮされる前のタイミングであればいつ画像を取得しても良い。
【手続補正２１】
【補正対象書類名】図面
【補正対象項目名】図６
【補正方法】変更
【補正の内容】
【図６】
2008219880.tif 000001